(57)【要約】【課題】ゴムブーツを被せる作業を容易に行うことができるようにする。【解決手段】補機の突状部分７０に第２コネクタ８０が突設されていてこの第２コネクタ８０に第１コネクタ９０が嵌合可能とされる場合において、ゴムブーツ１０は、第１コネクタ９０を被覆してこの第１コネクタ９０を位置決め状態で収容可能な第１収容部１１と、第１収容部１１と隣接し、突状部分７０を被覆してこの突状部分７０を位置決め状態で収容可能な第２収容部１２と、第２収容部１２の外側に突出し、突状部分７０に第２収容部１２を被せる際に摘むことが可能な摘み部２８とを備える。【選択図】図１２
2014082089.tif 000002
【特許請求の範囲】
【請求項１】
補機の突状部分に第２コネクタが設置されていてこの第２コネクタに第１コネクタが嵌合可能とされる場合に、
前記第１コネクタを被覆してこの第１コネクタを位置決め状態で収容可能な第１収容部と、
前記第１収容部と連通し、前記突状部分を被覆してこの突状部分を位置決め状態で収容可能な第２収容部と、
前記第２収容部の外側に突出し、前記突状部分に前記第２収容部を被せる際に摘むことが可能な摘み部とを備えることを特徴とするゴムブーツ。
【請求項２】
前記第１収容部の外側には、前記突状部分に前記第２収容部を被せるに先立ち、前記第２収容部を捲り上げた状態に保持する保持部が形成されていることを特徴とする請求項１記載のゴムブーツ。
【請求項３】
前記保持部に係止される保持受け部が前記摘み部に形成されていることを特徴とする請求項２記載のゴムブーツ。
【請求項４】
前記第１収容部と前記第２収容部の反対側で連通し、前記第１コネクタから引き出される電線を挿通可能な筒状の電線挿通部を有し、
前記電線挿通部の端縁には、前記第１コネクタに前記第１収容部を被せるに先立ち、前記電線挿通部を捲るためのスリットが入れられていることを特徴とする請求項１ないし３のいずれか１項記載のゴムブーツ。
【発明の詳細な説明】
【技術分野】
【０００１】
本発明は、ゴムブーツに関する。
【背景技術】
【０００２】
特許文献１に記載のゴムブーツは、コネクタを被覆して収容可能な嵌合部と、嵌合部と連通し、コネクタから引き出された電線を挿通可能な電線挿通部とを備えている。嵌合部の前端はコネクタの前端近傍に位置し、コネクタの外周面はロックアームも含めて嵌合部により覆われている。
【先行技術文献】
【特許文献】
【０００３】
【特許文献１】特開２０１１−４４３０３号公報
【発明の概要】
【発明が解決しようとする課題】
【０００４】
ところで、コネクタの嵌合相手となる相手コネクタが補機の突状部分に設置されることがあり、その場合に、突状部分をゴムブーツで被覆することが求められることがある。そうすると、ゴムブーツにおける嵌合部の前方に、突状部分を収容可能な第２の嵌合部を延設して、コネクタに嵌合部を被せた後、突状部分に第２の嵌合部を被せる作業を行わねばならず、その被着作業に難渋するおそれがある。
【０００５】
本発明は上記のような事情に基づいて完成されたものであって、ゴムブーツを被せる作業を容易に行うことができるようにすることを目的とする。
【課題を解決するための手段】
【０００６】
本発明のゴムブーツは、補機の突状部分に第２コネクタが設置されていてこの第２コネクタに第１コネクタが嵌合可能とされる場合に、前記第１コネクタを被覆してこの第１コネクタを位置決め状態で収容可能な第１収容部と、前記第１収容部と連通し、前記突状部分を被覆してこの突状部分を位置決め状態で収容可能な第２収容部と、前記第２収容部の外側に突出し、前記突状部分に前記第２収容部を被せる際に摘むことが可能な摘み部とを備えるところに特徴を有する。
【発明の効果】
【０００７】
本発明によれば、摘み部を摘みながら突状部分に第２収容部を被せることができるため、ゴムブーツの被着作業を容易に行うことができる。
【図面の簡単な説明】
【０００８】
【図１】本発明の実施例１に係るゴムブーツにおいて、電線挿通部を捲り上げた状態をあらわす側面図である。
【図２】第１収容部に第１コネクタを収容した状態をあらわす側面図である。
【図３】電線挿通部を元に戻した状態をあらわす側面図である。
【図４】第２収容部を捲り上げ、第２コネクタに第１コネクタを正対させた状態をあらわす側面図である。
【図５】第２コネクタに第１コネクタを嵌合させた状態をあらわす側面図である。
【図６】突状部分に第２収容部を被せた状態をあらわす側面図である。
【図７】電線挿通部を捲り上げ、第１収容部に第１コネクタを収容可能に配置した状態をあらわす断面図である。
【図８】第１収容部に第１コネクタを収容した状態をあらわす断面図である。
【図９】電線挿通部を元に戻した状態をあらわす断面図である。
【図１０】第２収容部を捲り上げ、第２コネクタに第１コネクタを正対させた状態をあらわす断面図である。
【図１１】第２コネクタに第１コネクタを嵌合させた状態をあらわす断面図である。
【図１２】突状部分に第２収容部を被せた状態をあらわす断面図である。
【図１３】ゴムブーツの側面図である。
【図１４】ゴムブーツの正面図である。
【図１５】ゴムブーツの背面図である。
【図１６】ゴムブーツの底面図である。
【図１７】ゴムブーツの上壁の内面形状をあらわす断面図である。
【発明を実施するための形態】
【０００９】
本発明の好ましい形態を以下に示す。
前記第１収容部の外側には、前記突状部分に前記第２収容部を被せるに先立ち、前記第２収容部を捲り上げた状態に保持する保持部が形成されている。これにより、突状部分に第２収容部を被せる現場で、第２収容部を捲り上げる作業を行う必要がないため、作業性がより向上する。
【００１０】
前記保持部に係止される保持受け部が前記摘み部に形成されている。これにより、摘み部を摘んだ状態のまま、保持部に保持受け部を係止させ、且つその係止状態を解除することができるため、作業の中断が無く、より良好な作業性が確保される。
【００１１】
前記第１収容部と前記第２収容部の反対側で連通し、前記第１コネクタから引き出される電線を挿通可能な筒状の電線挿通部を有し、前記電線挿通部の端縁には、前記第１コネクタに前記第１収容部を被せるに先立ち、前記電線挿通部を捲るためのスリットが入れられている。かかるスリットによって第１コネクタに第１収容部を被せる作業も容易に行うことができる。
【００１２】
＜実施例１＞
本発明の実施例１を図１〜図１７によって説明する。本実施例に係るゴムブーツ１０は、車両に搭載されるセンサ（補機）の突状部分７０とその接続相手となる第１コネクタ９０とに跨って被着されるものであって、弾力性を有するゴム材で構成されている。なお、以下の説明において、前後方向については、図１４及び図１５を除く各図の向かって左側を前方とし、上下方向については、図１６及び図１７を除く各図を基準とする。
【００１３】
まず、突状部分７０と第１コネクタ９０の構造について簡単に説明する。
突状部分７０は、円柱状とされ、図４に示すように、その後面に、突出方向（上下方向）と交差する方向（後方）に突出する第２コネクタ８０が突設されている。第２コネクタ８０は、突状部分７０の後面の上端部からほぼ水平に突き出る細径の付け根部８１を有している。
【００１４】
第１コネクタ９０は、前方から第２コネクタ８０を内嵌可能とされている。図７に示すように、第１コネクタ９０の後面から電線６０が引き出され、引き出された電線６０は第１コネクタ９０の後面から後方に延出して配置される。第１コネクタ９０の下面には段部９２が形成され、第１コネクタ９０の下面のうち段部９２を境とする後方領域は前方領域よりも一段落ちて配置されている。そして、第１コネクタ９０の上端部には、図示しないロックアームが形成され、嵌合時にはロックアームによって第２コネクタ８０との嵌合状態を保持可能とされている。
【００１５】
続いて、ゴムブーツ１０の構造について説明する。
ゴムブーツ１０は、図１３に示すように、後方において前後方向に沿って配置される第１収容部１１と、前方において上下方向に沿って配置される第２収容部１２とを備え、全体として側面視略Ｌ字形の筒状をなしている。
【００１６】
第１収容部１１は、第１コネクタ９０を被覆してこの第１コネクタ９０を位置決め状態で収容可能とされ、図１７に示すように、内面に第１コネクタ９０の外周形状に沿った嵌合面１３が形成されている。図８に示すように、第１収容部１１の上壁における嵌合面１３の前端部には、第１コネクタ９０の前端に当接して第１コネクタ９０の前方への位置ずれを規制可能な前方規制部１４が段付き状に形成されている。また、同じく図８に示すように、第１収容部１１の下壁における嵌合面１３の後端部には、第１コネクタ９０の段部９２に当接して第１コネクタ９０の後方への位置ずれを規制可能な後方規制部１５が突出して形成されている。
【００１７】
図７に示すように、第１収容部１１の上壁には、第１コネクタ９０が正規収容された状態でロックアームと対向可能な位置に、周囲よりも薄肉とされる薄肉部１６が形成されている。ロックアームは、薄肉部１６を介することによって第２コネクタ８０との嵌合動作及び離脱動作を円滑に行うことが可能とされている。
【００１８】
また、図７に示すように、第１収容部１１の上壁の外面には、薄肉部１６の直後方で且つ前後方向に関して後方規制部１５と重なる位置に、第２収容部１２の捲り上げ状態を保持するための保持部１７が突設されている。保持部１７は、ゴムブーツ１０の中で最も厚肉の形状とされ、後述する保持受け部２９を係止可能な強度を有している。
【００１９】
また、図７に示すように、第１収容部１１の上壁の前端には、第１コネクタ９０の前面上端部と対向可能な位置に、連結壁１８が斜め下向きに突出して形成されている。連結壁１８の下端は、後述する第２収容部１２の天井壁２４に一体に連結されている。そして、第１収容部１１の前端における連結壁１８の下方には、第２収容部１２と連通する連通口１９が開設されている。
【００２０】
また、ゴムブーツ１０は、図９に示すように、第１収容部１１の後端に連通して後方へ延出する電線挿通部２１を有している。電線挿通部２１は、第１収容部１１との間に段差部２２を介して連なり、第１収容部１１よりも縮径された筒状の形態とされている。電線挿通部２１の内部には、電線６０が遊嵌状態で挿通されている。
【００２１】
図１６に示すように、電線挿通部２１の下端には、後縁から前方へ向けて直線状に延びるスリット２３が切り入れられている。スリット２３は、段差部２２を跨いで第１収容部１１側に及び、その前端が第１収容部１１の下壁における嵌合面１３の近くに位置している。ここで、第１収容部１１に第１コネクタ９０を収容する際には、図７に示すように、電線挿通部２１を第１収容部１１側に捲り上げた状態で一時的に保持するようになっているが、この場合に、スリット２３が電線挿通部２１を捲り上げる過程で開くように変形することにより、電線挿通部２１の捲り上げを円滑に行うことが可能となっている。
【００２２】
一方、第２収容部１２は、図７に示すように、第１収容部１１に連通口１９を介して連通して下方へ延出する形態とされている。そして、第２収容部１２は、図１２に示すように、突状部分７０を被覆してこの突状部分７０を位置決め状態で収容可能とされている。具体的には、第２収容部１２は、突状部分７０の上面に沿って配置されてこの上面に密着可能とされる天井壁２４と、突状部分７０の周面に沿って配置されてこの周面に密着可能とされる周壁２５とを有し、全体として上面閉塞の円筒状をなしている。自然状態（突状部分７０に被着される前の状態）における第２収容部１２の内径寸法は、突状部分７０の外径寸法よりも少し小さくされている。
【００２３】
天井壁２４の上面は、第１収容部１１の上壁の上面よりも一段低い位置に配置されている。また、図１４に示すように、天井壁２４の中央部には、小筒部２６が上方に膨出して形成されている。図１２に示すように、小筒部２６は、突状部分７０への被着時に、突状部分７０の上面の中央部に突設された小突部７１に沿って密着して配置されるようになっている。なお、本実施例の場合、周壁２５は、全周に亘って閉塞されており、スリット２３のような開口部分を有していない。
【００２４】
第２収容部１２の下端には、図１６に示すように、フランジ部２７が径方向に張り出して形成されている。また、同じく図１６に示すように、第２収容部１２の下端前縁には、摘み部２８が前方に突出して形成されている。摘み部２８は、矩形板状をなし、手指で摘むことが可能な大きさに構成されている。摘み部２８の中央には、平面視矩形の保持受け部２９が開口して形成されている。図１０に示すように、保持受け部２９は、第２収容部１２が第１収容部１１側に捲り上げられた状態で、保持部１７に引っ掛け状態で係止されるようになっている。そして、図１３及び図１４に示すように、摘み部２８の上面前縁には、幅方向に沿ったリブ３１が突設されている。
【００２５】
ゴムブーツ１０の構造は上述の通りであり、続いて、第１コネクタ９０及び突状部分７０にゴムブーツ１０を被せる作業について説明する。
まず、図１及び図７に示すように、スリット２３を介して電線挿通部２１を第１収容部１１側へ捲り上げた状態とする。これにより、第１収容部１１の後方が第１コネクタ９０を挿入可能となるように大きく開口する。
【００２６】
次に、図２及び図８に示すように、第１収容部１１の内部に後方から第１コネクタ９０を挿入する。第１収容部１１に正規挿入された第１コネクタ９０は、前方規制部１４によって前止めされるとともに、後方規制部１５によって抜け止めされる。
【００２７】
次いで、図３及び図９に示すように、電線挿通部２１を捲れを直して元の状態に戻す。すると、電線挿通部２１の内部に、第１コネクタ９０の後面から延出する電線６０が挿通される。
【００２８】
次いで、図４及び図１０に示すように、第２収容部１２を第１収容部１１側へ捲り上げる。この場合、摘み部２８を摘みながら第２収容部１２の周壁２５の前部を持ち上げて裏返し、その状態で、摘み部２８を後方へ引っ張って、保持受け部２９に保持部１７を嵌め入れて引っ掛けるようにする。すると、第２収容部１２が保持部１７によって第１収容部１１側に捲り上げられた状態に保持される。このとき、第２収容部１２が第１収容部１１側に引っ張られた状態に変形させられ、第２収容部１２の前方が突状部分７０を挿入可能となるように大きく開口する。
【００２９】
次いで、第２コネクタ８０の後方に第１コネクタ９０を正対させ、その状態で、図５及び図１１に示すように、第２コネクタ８０に第１コネクタ９０を嵌合させる。このとき、第２収容部１２は第１収容部１１側に捲り上げられた状態に保持され、また、ゴムブーツ１０の連通口１９には、第２コネクタ８０の付け根部８１が貫通して配置される。
【００３０】
その後、摘み部２８を持ちあげて保持受け部２９を保持部１７から解離させ、その状態で、図６及び図１２に示すように、突状部分７０の前面側へ摘み部２８を引き下ろして、突状部分７０に第２収容部１２を被せる。これにより、第２収容部１２の内面に突状部分７０が弾性的に密着するとともに、第１収容部１１の内面に第１コネクタ９０が弾性的に密着することになる。
【００３１】
このように、本実施例によれば、摘み部２８を摘みながら突状部分７０に第２収容部１２を被せることができるため、ゴムブーツ１０の被着作業を容易に行うことができる。
【００３２】
また、第１収容部１１に、第２収容部１２を捲り上げた状態に保持する保持部１７が形成されているため、突状部分７０に第２収容部１２を被せる現場で、第２収容部１２をいちいち捲り上げる作業を行う必要がなく、作業性がより向上する。
【００３３】
また、保持部１７に係止される保持受け部２９が摘み部２８が形成されているため、保持部１７への係止操作及び係止解除操作をゴムブーツ１０の被着作業に付随して円滑に行うことができる。
さらに、電線挿通部２１にスリット２３が入れられているため、電線挿通部２１を捲り上げた状態で、第１収容部１１に第１コネクタ９０を挿入する作業も容易に行うことが可能となる。
【００３４】
＜他の実施例＞
本発明は上記記述及び図面によって説明した実施例に限定されるものではなく、例えば次のような態様も本発明の技術的範囲に含まれる。
（１）電線挿通部側にも第１収容部側に捲り上げる際に摘むことが可能な摘み部が形成されるものであってもよい。
（２）電線挿通部側にも保持部に引っ掛け状態で係止可能な保持受け部が形成されるものであってもよい。
（３）電線挿通部には蛇腹状のコルゲート領域が形成されるものであってもよい。
（４）突状部分は車両に搭載されるセンサ以外の補機に形成されるものであってもよい。
【符号の説明】
【００３５】
１０…ゴムブーツ
１１…第１収容部
１２…第２収容部
１７…保持部
２１…電線挿通部
２３…スリット
２８…摘み部
２９…保持受け部
６０…電線
７０…突状部分
８０…第２コネクタ
９０…第１コネクタ
【図１】
2014082089.tif 000003
【図２】
2014082089.tif 000004
【図３】
2014082089.tif 000005
【図４】
2014082089.tif 000006
【図５】
2014082089.tif 000007
【図６】
2014082089.tif 000008
【図７】
2014082089.tif 000009
【図８】
2014082089.tif 000010
【図９】
2014082089.tif 000011
【図１０】
2014082089.tif 000012
【図１１】
2014082089.tif 000013
【図１２】
2014082089.tif 000014
【図１３】
2014082089.tif 000015
【図１４】
2014082089.tif 000016
【図１５】
2014082089.tif 000017
【図１６】
2014082089.tif 000018
【図１７】
2014082089.tif 000019